(57)【要約】【課題】  移動通信端末機の消費電力を節減して省エネルギー化を図り得る移動通信端末機のデータ受信方法及びその装置を提供すること。【解決手段】  外部装置と移動通信端末機とが通信装置を通して連結されたとき、前記移動通信端末機のモードをノンスリープモードに転換して前記外部装置からデータを受信する段階と、前記ノンスリープモードの際、前記外部装置からデータが受信されないと、前記移動通信端末機のモードをスリープモードに転換する段階と、前記スリープモードの際、前記外部装置からデータが受信されると、前記移動通信端末機のモードをノンスリープモードに転換する段階とを順次行うことで移動通信端末機のデータを受信する。【選択図】  図１
2004242279.tif 000002
【特許請求の範囲】
【請求項１】
外部装置と移動通信端末機とが通信装置を通して連結されたとき、前記移動通信端末機のモードをノンスリープモード（ｎｏｎ−ｓｌｅｅｐ  ｍｏｄｅ）に転換して前記外部装置からデータを受信する段階と、
前記ノンスリープモードの際、前記外部装置からデータが受信されないと、前記移動通信端末機のモードをスリープモード（ｓｌｅｅｐ  ｍｏｄｅ）に転換する段階と、
前記スリープモードの際、前記外部装置からデータが受信されると、前記移動通信端末機のモードをノンスリープモードに転換する段階とを順次行うことを特徴とする移動通信端末機のデータ受信方法。
【請求項２】
前記ノンスリープモードに転換する段階は、
前記スリープモードの際、前記通信装置を通して前記データが受信されると、インタラプトを発生する段階と、
該インタラプトが発生すると、前記スリープモードを前記ノンスリープモードに転換した後、前記データを受信する段階とを順次行うことを特徴とする請求項１記載の移動通信端末機のデータ受信方法。
【請求項３】
前記インタラプトにより一番目のデータが損傷されると、該損傷されたデータを補償した後、前記データを受信して処理する段階が追加されることを特徴とする請求項２記載の移動通信端末機のデータ受信方法。
【請求項４】
外部装置からデータを受信する受信部と、
該受信部のポートと対応するように連結されたインタラプト入力ポートを通して前記データが受信されると、インタラプトを発生するインタラプトモジュールと、
前記外部装置からデータが受信されないと、前記移動通信端末機のモードをスリープモードに転換するための転換信号を発生するデータ検出部と、
該転換信号に基づいて移動通信端末機の通信モジュールに供給される電源を遮断するためのスリープモードに転換し、又は前記インタラプトモジュールからインタラプトが発生すると、前記移動通信端末機のモードを前記データを受信するノンスリープモードに転換する中央処理部とを包含して構成されることを特徴とする移動通信端末機のデータ受信装置。
【請求項５】
前記データ検出部は、
前記移動通信端末機の通信装置と前記外部装置の通信装置とが連結されたとき、予め決定された時間の間前記外部装置の通信装置からデータが受信されないと、前記移動通信端末機のモードをスリープモードに転換するための転換信号を前記中央処理部に伝送することを特徴とする請求項４記載の移動通信端末機のデータ受信装置。
【請求項６】
前記通信装置は、
ＩｒＤＡ（Ｉｎｆｒａｒｅｄ  Ｄａｔａ  Ａｓｓｏｃｉａｔｉｏｎ）通信モジュール又はデータケーブルであることを特徴とする請求項５記載の移動通信端末機のデータ受信装  置。
【請求項７】
前記インタラプトモジュールは、
前記ノンスリープモードから前記スリープモードに転換されるとき、前記インタラプト入力ポートをイネイブル（ｅｎａｂｌｅ）させ、前記スリープモードから前記ノンスリープモードに転換されるとき、前記インタラプト入力ポートをディスエイブル（ｄｉｓａｂｌｅ）させることを特徴とする請求項４記載の移動通信端末機のデータ受信装置。
【請求項８】
前記中央処理部は、
前記スリープモードから前記ノンスリープモードに転換されてデータを受信して処理するとき、前記インタラプトにより一番目のデータが損傷されると、該損傷されたデータを補償することを特徴とする請求項４記載の移動通信端末機のデータ受信装置。
【請求項９】
前記受信部のポート及びインタラプト入力ポートは、
前記外部装置から前記データを同時に受信することを特徴とする請求項４記載の移動通信端末機のデータ受信装置。
【発明の詳細な説明】
【技術分野】
【０００１】
本発明は移動通信端末機に係るもので、詳しくは、移動通信端末機のデータを受信する方法及びその装置に関するものである。
【背景技術】
【０００２】
一般に、移動通信端末機には、消費電力を減少させるためのスリープモード（ｓｌｅｅｐ  ｍｏｄｅ）が設定されて、該移動通信端末機は、スリープモードの際、消費電力を減少させるためにシリアル通信モジュール（ｓｅｒｉａｌ  ｃｏｍｍｕｎｉｃａｔｉｏｎｓ  ｍｏｄｕｌｅ）をディスエイブル（ｄｉｓａｂｌｅ）させるが、このとき、前記移動通信端末機は、前記シリアル通信モジュールを通して外部装置からシリアルデータ（ｓｅｒｉａｌ  ｄａｔａ）が入力されても、該シリアルデータを認識し得ないという問題点があった。
【０００３】
例えば、ＰＣ（Ｄａｔａ  Ｔｅｒｍｉｎａｌ  Ｅｑｕｉｐｍｅｎｔ、ＤＴＥ）と移動通信端末機（Ｄａｔａ  Ｃｉｒｃｕｉｔ−ｔｅｒｍｉｎａｌ  Ｅｑｕｉｐｍｅｎｔ、ＤＣＥ）とが相互データ通信を行うとき、それらＰＣ及び移動通信端末機は、データケーブル、ＩｒＤＡ（Ｉｎｆｒａｒｅｄ  Ｄａｔａ  Ａｓｓｏｃｉａｔｉｏｎ）通信モジュールを利用した赤外線通信又はブルートゥース（Ｂｌｕｅ  Ｔｏｏｔｈ、ＢＴ）等を用いてデータを伝送する。このとき、前記移動通信端末機は、ノンスリープモード（ｎｏｎ−ｓｌｅｅｐ  ｍｏｄｅ）の際だけ前記データを受信して処理することができる。即ち、前記移動通信端末機は、アイドルモード（ｉｄｌｅ  ｍｏｄｅ）からスリープモード（ｓｌｅｅｐ  ｍｏｄｅ）に転換されるとき、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を通して伝送されるデータを完壁に受信することができないため、前記ノンスリープモードで前記データを受信する。
【０００４】
且つ、従来の移動通信端末機は、データケーブルに連結されると、前記データを受信するために通常、ノンスリープモードを維持するため、データが受信されない場合も電力の消耗が増加される。
【０００５】
又、従来の移動通信端末機は、ＩｒＤＡ通信モジュールを通してデータを受信するとき、常にノンスリープモードを維持するため、データが受信されない場合も電力の消耗が増加される。例えば、前記移動通信端末機のＩｒＤＡ通信モジュールは、ＰＣのＩｒＤＡ通信モジュールからデータを受信するために常にイネイブル（ｅｎａｂｌｅ）されているため、移動通信端末機の電力の消耗が増加される。又、移動通信端末機の電力の消費が増加されることで、移動通信端末機の使用時間が短縮される。
【発明の開示】
【発明が解決しようとする課題】
【０００６】
このような従来の移動通信端末機においては、ノンスリープモードにおいて、それらデータケーブル又はＩｒＤＡ通信モジュールを通してデータを受信するとき、前記データが受信されない場合も通常、前記ノンスリープモードを維持するため、移動通信端末機の電力の消耗が増加されるという不都合な点があった。
【０００７】
且つ、移動通信端末機の電力の消費が増加されることで、移動通信端末機の使用時間が短縮されるという不都合な点があった。
【０００８】
本発明は、このような従来の課題に鑑みてなされたもので、移動通信端末機のデータ受信方法及びその装置において、移動通信端末機がケーブル又は無線通信（ＩｒＤＡ通信モジュールを利用した赤外線通信）を通して外部装置に連結されたとき、前記外部装置からデータが受信されないと、移動通信端末機のモードをスリープモードに転換し、前記データが受信されると、ノンスリープモードに転換することで、移動通信端末機の消費電力を節減して省エネルギー化を図ることを目的とする。
【課題を解決するための手段】
【０００９】
このような目的を達成するため、本発明に係る移動通信端末機のデータ受信方法においては、外部装置と移動通信端末機とが通信装置を通して連結されたとき、前記移動通信端末機のモードをノンスリープモードに転換して前記外部装置からデータを受信する段階と、前記ノンスリープモードの際、前記外部装置からデータが受信されないと、前記移動通信端末機のモードをスリープモードに転換する段階と、前記スリープモードの際、前記外部装置からデータが受信されると、前記移動通信端末機のモードをノンスリープモードに転換する段階とを順次行うことを特徴とする。
【００１０】
又、本発明に係る移動通信端末機のデータ受信装置においては、外部装置からデータを受信する受信部と、該受信部のポートと対応するように連結されたインタラプト入力ポートを通して前記データが受信されると、インタラプト（インタラプト信号）を発生するインタラプトモジュールと、前記外部装置からデータが受信されないと、前記移動通信端末機のモードをスリープモードに転換するための転換信号を発生するデータ検出部と、前記転換信号に基づいて移動通信端末機の通信モジュールに供給される電源を遮断するためのスリープモードに転換し、又は前記インタラプトモジュールからインタラプトが発生すると、前記移動通信端末機のモードを前記データを受信するノンスリープモードに転換する中央処理部とを包含して構成されることを特徴とする。
【００１１】
本発明は、移動通信端末機のデータ受信方法であって、外部装置と移動通信端末機とが通信装置を通して連結されたとき、前記移動通信端末機のモードをノンスリープモード（ｎｏｎ−ｓｌｅｅｐ  ｍｏｄｅ）に転換して前記外部装置からデータを受信する段階と、前記ノンスリープモードの際、前記外部装置からデータが受信されないと、前記移動通信端末機のモードをスリープモード（ｓｌｅｅｐ  ｍｏｄｅ）に転換する段階と、前記スリープモードの際、前記外部装置からデータが受信されると、前記移動通信端末機のモードをノンスリープモードに転換する段階とを順次行うことを特徴とし、これにより上記目的が達成される。
【００１２】
前記ノンスリープモードに転換する段階は、前記スリープモードの際、前記通信装置を通して前記データが受信されると、インタラプトを発生する段階と、該インタラプトが発生すると、前記スリープモードを前記ノンスリープモードに転換した後、前記データを受信する段階とを順次行うことを特徴とする。
【００１３】
前記インタラプトにより一番目のデータが損傷されると、該損傷されたデータを補償した後、前記データを受信して処理する段階が追加されることを特徴とする。
【００１４】
外部装置からデータを受信する受信部と、該受信部のポートと対応するように連結されたインタラプト入力ポートを通して前記データが受信されると、インタラプトを発生するインタラプトモジュールと、前記外部装置からデータが受信されないと、前記移動通信端末機のモードをスリープモードに転換するための転換信号を発生するデータ検出部と、該転換信号に基づいて移動通信端末機の通信モジュールに供給される電源を遮断するためのスリープモードに転換し、又は前記インタラプトモジュールからインタラプトが発生すると、前記移動通信端末機のモードを前記データを受信するノンスリープモードに転換する中央処理部とを包含して構成されることを特徴とする。
【００１５】
前記データ検出部は、前記移動通信端末機の通信装置と前記外部装置の通信装置とが連結されたとき、予め決定された時間の間前記外部装置の通信装置からデータが受信されないと、前記移動通信端末機のモードをスリープモードに転換するための転換信号を前記中央処理部に伝送することを特徴とする。
【００１６】
前記通信装置は、ＩｒＤＡ（Ｉｎｆｒａｒｅｄ  Ｄａｔａ  Ａｓｓｏｃｉａｔｉｏｎ）通信モジュール又はデータケーブルであることを特徴とする。
【００１７】
前記インタラプトモジュールは、前記ノンスリープモードから前記スリープモードに転換されるとき、前記インタラプト入力ポートをイネイブル（ｅｎａｂｌｅ）させ、前記スリープモードから前記ノンスリープモードに転換されるとき、前記インタラプト入力ポートをディスエイブル（ｄｉｓａｂｌｅ）させることを特徴とする。
【００１８】
前記中央処理部は、前記スリープモードから前記ノンスリープモードに転換されてデータを受信して処理するとき、前記インタラプトにより一番目のデータが損傷されると、該損傷されたデータを補償することを特徴とする。
【００１９】
前記受信部のポート及びインタラプト入力ポートは、前記外部装置から前記データを同時に受信することを特徴とする。
【発明の効果】
【００２０】
以下で説明するように、本発明に係る移動通信端末機のデータ受信方法及びその装置においては、移動通信端末機がケーブル又はＩｒＤＡ通信モジュールを通して外部装置に連結されたとき、前記外部装置からデータが受信されないと、前記移動通信端末機のモードをスリープモードに転換することで、消費電力を節減して省エネルギー化を図り得るという効果がある。
【発明を実施するための最良の形態】
【００２１】
以下、本発明の実施の形態について、図面に基づいて説明する。
【００２２】
図１は、本発明に係る移動通信端末機の受信装置が適用された移動通信端末機の構成を示したブロック図で、図示されたように、本発明に係る移動通信端末機においては、各種のプログラム及び参照データを保存するメモリ部１０６と、複数の数字キー及び機能キーを有し、選択者により入力されたキーデータを伝送するキー入力部１０５と、それらキー入力部１０５により移動通信端末機の多様な情報を表示する表示部１０４と、外部装置からデータを受信する受信部Ｒｘと、該受信部Ｒｘのポートと対応するように連結されたインタラプト入力ポートＩＮＴを通して、前記外部装置からデータが受信されると、インタラプトを発生するインタラプトモジュール１０２と、前記外部装置からデータが受信されないと、前記移動通信端末機のモードをスリープモードに転換するための転換信号を発生するデータ検出部１０１と、前記転換信号に基づいて移動通信端末機の通信モジュールに供給される電源を遮断するためにスリープモードに転換し、又は前記インタラプトモジュール１０２からインタラプトが発生すると、前記データを受信するために前記移動通信端末機のモードをノンスリープモードに転換する中央処理部１０３とから構成されている。ここで、前記スリープモードとは、移動通信端末機の通信モジュールに供給される電源を遮断することで、移動通信端末機の消費電力を減少させるためのモードをいい、前記ノンスリープモードとは、通信を行うためのモードをいう。
【００２３】
又、本発明に係る移動通信端末機の受信装置１１０においては、前記外部装置からデータを受信する受信部Ｒｘと、該受信部Ｒｘのポートと対応するように連結されたインタラプト入力ポートＩＮＴを通して前記データが受信されると、インタラプトを発生するインタラプトモジュール１０２と、前記外部装置からデータが受信されないと、前記移動通信端末機のモードをスリープモードに転換するための転換信号を発生するデータ検出部１０１と、該転換信号に基づいて移動通信端末機の通信モジュールに供給される電源を遮断するスリープモードに転換し、又は前記インタラプトモジュール１０２からインタラプトが発生すると、前記移動通信端末機のモードをノンスリープモードに転換する中央処理部１０３とから構成されている。ここで、本発明と直接的に関連のない前記の表示部１０４、キー入力部１０５及びメモリ部１０６については、詳細な説明を省略する。
【００２４】
以下、このように構成された本発明に係る移動通信端末機の受信装置１１０の動作について説明する。
【００２５】
図２は、本発明に係る移動通信端末機の受信方法を示したフローチャートで、図示されたように、まず、前記中央処理部１０３は、外部装置（例えば、個人用コンピュータ）からデータを受信するための移動通信端末機の通信装置が前記外部装置の通信装置に連結されているかを判断する。
【００２６】
例えば、前記中央処理部１０３は、個人用コンピュータからデータを受信するための移動通信端末機のＩｒＤＡ通信モジュールが、前記個人用コンピュータのＩｒＤＡ通信モジュールに無線連結されているか、又は外部データケーブルが前記移動通信端末機の受信部Ｒｘに連結されているかを判断する（Ｓ２０１）。
【００２７】
その後、前記中央処理部１０３は、前記移動通信端末機のＩｒＤＡ通信モジュールが前記外部装置のＩｒＤＡ通信モジュールに無線連結されているか、又は前記外部データケーブルが前記受信部Ｒｘに連結されていると、前記移動通信端末機のモードをノンスリープモードに転換する（Ｓ２０２）。
【００２８】
次いで、前記データ検出部１０１は、前記移動通信端末機の通信装置が前記外部装置の通信装置に連結されると、前記外部装置の通信装置から伝送されるデータの流れをリアルタイムでチェックする。即ち、前記データ検出部１０１は、前記移動通信端末機のＩｒＤＡ通信モジュール又は前記受信部Ｒｘを通して受信されるデータを検出する（Ｓ２０３）。
【００２９】
その後、前記データ検出部１０１は、前記ノンスリープモードの際、予め決定された時間の間前記外部装置の通信装置からデータが受信されないと、転換信号を発生し、該発生された転換信号を前記中央処理部１０３に出力する。
【００３０】
例えば、前記データ検出部１０１は、前記移動通信端末機がデータを受信するためにそれらデータケーブル又は外部通信モジュールに連結されたとき、前記データがそれらデータケーブル又は外部通信モジュールを通して受信されないと、前記移動通信端末機のモードを前記移動通信端末機の通信モジュールに供給される電源を遮断するスリープモードに転換するための転換信号を前記中央処理部１０３に出力する。
【００３１】
次いで、前記中央処理部１０３は、前記転換信号に基づいて前記ノンスリープモードを前記スリープモードに転換し、制御信号を前記インタラプトモジュール１０２に出力する（Ｓ２０４）。このとき、前記インタラプトモジュール１０２は、前記中央処理部１０３の制御信号により前記データを受信するための前記インタラプト入力ポートＩＮＴをイネイブル（ｅｎａｂｌｅ）させる（Ｓ２０５）。ここで、前記インタラプトモジュール１０２は、前記インタラプト入力ポートＩＮＴが前記移動通信端末機の受信部Ｒｘのポートに対応するように連結されているため、前記外部装置からデータが伝送されると動作される。
【００３２】
前記スリープモードの際、前記受信部Ｒｘと対応するように連結されたインタラプト入力ポートＩＮＴを通して前記データが受信されると（Ｓ２０６）、前記インタラプトモジュール１０２はインタラプトを発生する（Ｓ２０７）。ここで、前記受信部Ｒｘを通してデータが受信されると、該受信部Ｒｘと対応するように連結されたインタラプト入力ポートＩＮＴにも前記データが同時に入力される。
【００３３】
次いで、前記インタラプトモジュール１０２からインタラプトが発生すると、前記中央処理部１０３は、前記スリープモードを前記ノンスリープモードに転換する（Ｓ２０８）。このとき、前記インタラプトモジュール１０２は、前記中央処理部１０３の制御信号により前記インタラプト入力ポートＩＮＴをディスエイブル（ｄｉｓａｂｌｅ；使用禁止）させる（Ｓ２０９）。即ち、前記移動通信端末機の受信部Ｒｘのポートと前記インタラプト入力ポートＩＮＴとが対応するように連結されているため、外部装置からデータが受信されると直ちにインタラプトが発生される。従って、前記中央処理部１０３は、インタラプトが初めて発生する時だけ前記移動通信端末機のモードをスリープモードからノンスリープモードに転換した後、前記インタラプトモジュール１０２をディスエイブル（使用禁止）させるため、長時間ケーブルが前記移動通信端末機に連結されている状態で、前記外部装置からデータが受信されなくても、電力の消耗を減らすことができる。
【００３４】
その後、前記中央処理部１０３は、前記インタラプトにより前記スリープモードをノンスリープモードに転換して正常にデータを受信し、該受信されたデータを処理する（Ｓ２１０）。
【００３５】
一方、本発明においては、前記インタラプトにより一番目のデータが損傷されると（Ｓ２１１）、該損傷されたデータを補償した後、前記データを連続的に受信して処理することができる。例えば、前記中央処理部１０３は、一番目に受信されるデータがインタラプト処理により損傷されると、該損傷されたデータを補償する必要がある。即ち、通常のシリアル通信においては、通信規約によりデータを伝送するとき、’ａｔ’命令語（ｃｏｍｍａｎｄ）と共に一番目のデータを伝送する。従って、前記初めてインタラプトにより損傷された一番目のデータを前記“ａｔ”命令語に基づいて更に受信することで、前記損傷されたデータを容易に補償することができる（Ｓ２１２）。
【００３６】
又、本発明に係る移動通信端末機においては、キー入力部１０５の信号により、スリープモードをノンスリープモードに転換することもできる。例えば、データケーブルやＩｒＤＡ通信モジュールを検出した後、予め決定された時間の間データが受信されないと、移動通信端末機はスリープモードに転換され、該スリープモードにおいて使用者がキー入力部１０５を動作させると、ノンスリープモードに転換される。即ち、前記移動通信端末機は、使用者がキーパッドを押すか、又はスクリーンセーバー等の動作が実行されると、前記スリープモードをノンスリープモードに転換することで、外部装置から入力されるデータを受信して処理することもできる。
【００３７】
従って、本発明に係る移動通信端末機の受信装置及びその方法においては、移動通信端末機のＩｒＤＡ通信モジュールと外部装置のＩｒＤＡ通信モジュールとが無線連結されているか、又は前記移動通信端末機の受信部にデータケーブルが連結されているとき、前記外部装置からデータが受信されないと、前記移動通信端末機のモードをスリープモードに転換し、前記外部装置からデータが受信されるか又は使用者がキーを押して、直ちに前記移動通信端末機のモードを前記ノンスリープモードに転換することで、データを正常に受信しながらも消費電力を減少させることができる。
【００３８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００３９】
【図１】本発明に係る移動通信端末機の受信装置が適用された移動通信端末機の構成を示したブロック図である。
【図２】本発明に係る移動通信端末機の受信方法を示したフローチャートである。
【符号の説明】
【００４０】
１０１  データ検出部
１０２  インタラプトモジュール
１０３  中央処理部
１０４  表示部
１０５  キー入力部
１０６  メモリ部
【図１】
2004242279.tif 000003
【図２】
2004242279.tif 000004